(57)【要約】【課題】ユーザーの要望する用紙のサイズで、適切に撮影画像の実寸印刷を行うことができる画像処理装置を提供する。【解決手段】画像処理装置は、判断部３４と、第一制御部３５と、特定部３６とを備える。判断部３４は、導出部３３により導出された撮影画像の実寸のサイズが、第二受け付け部３２により受け付けられた用紙のサイズよりも大きいか否かを判断する。第一制御部３５は、判断部３４により撮影画像の実寸のサイズが用紙のサイズよりも大きいと判断されれば、タッチパネル２１に撮影画像、およびタッチパネル２１内における用紙の大きさに相当する大きさであり、タッチパネル２１内において移動可能な枠部５４を表示するよう制御する。特定部３６は、第一制御部３５により表示するよう制御された枠部５４に囲われた領域を、撮影画像の印刷領域として特定する。【選択図】図３
2018069542.tif 000002
【特許請求の範囲】
【請求項１】
撮影画像を処理する画像処理装置であって、
情報を表示する表示画面と、
前記撮影画像の印刷の要求を受け付ける第一受け付け部と、
前記撮影画像を印刷する際の用紙のサイズの入力を受け付ける第二受け付け部と、
前記第一受け付け部により印刷の要求を受け付けられた前記撮影画像の実寸を導出する導出部と、
前記導出部により導出された前記撮影画像の実寸のサイズが、前記第二受け付け部により受け付けられた前記用紙のサイズよりも大きいか否かを判断する判断部と、
前記判断部により前記撮影画像の実寸のサイズが前記用紙のサイズよりも大きいと判断されれば、前記表示画面に前記撮影画像、および前記表示画面内における前記用紙の大きさに相当する大きさであり、前記表示画面内において移動可能な枠部を表示するよう制御する第一制御部と、
前記第一制御部により表示するよう制御された前記枠部に囲われた領域を、前記撮影画像の印刷領域として特定する特定部とを備える、画像処理装置。
【請求項２】
用紙に画像を印刷する印刷部と、
前記印刷部の動作を制御する第二制御部とをさらに備え、
前記第二制御部は、前記特定部により特定された前記印刷範囲で、前記第二受け付け部により受け付けられたサイズの前記用紙を用いて前記印刷部により印刷するよう制御する、請求項１に記載の画像処理装置。
【請求項３】
前記第一制御部は、前記枠部を複数表示するよう制御し、
前記特定部は、複数の前記枠部にそれぞれ囲われた領域をそれぞれ前記印刷領域として特定する、請求項１または２に記載の画像処理装置。
【請求項４】
前記第一制御部は、前記枠部を複数表示するよう制御し、
前記特定部は、複数の前記枠部のうち、選択された前記枠部にそれぞれ囲われた領域を前記印刷領域として特定する、請求項１〜３のいずれか１項に記載の画像処理装置。
【請求項５】
前記第一制御部は、複数表示された前記枠部に対応する前記印刷範囲の印刷順序を表示するよう制御する、請求項３または４に記載の画像処理装置。
【請求項６】
前記第一制御部は、同じ前記撮影画像内において、前記撮影画像の焦点距離に応じて、前記枠部のサイズを異ならせて表示するよう制御する、請求項１〜５のいずれか１項に記載の画像処理装置。
【請求項７】
前記第一制御部は、前記枠部内において焦点距離が異なる場合に、前記枠部を矩形以外の形状に変形させて前記枠部を表示するよう制御する、請求項１〜６のいずれか１項に記載の画像処理装置。
【請求項８】
前記第一制御部は、前記用紙サイズ入力受け付け部により受け付けられた前記用紙のサイズの情報を前記表示画面に表示するよう制御する、請求項１〜７のいずれか１項に記載の画像処理装置。
【請求項９】
前記導出部は、前記撮影画像内の所定の長さに対応する実寸の入力を受け付ける第三受け付け部を含み、
前記導出部は、前記第三受け付け部により受け付けられた前記実寸から前記撮影画像の実寸を導出する、請求項１〜８のいずれか１項に記載の画像処理装置。
【請求項１０】
前記導出部は、前記撮影画像の画角、および前記被写体までの焦点距離から、前記撮影画像の実寸を導出する、請求項１〜９のいずれか１項に記載の画像処理装置。
【請求項１１】
被写体の画像を撮影する撮影部を備える撮影装置と、前記撮影装置からの撮影画像の取り込みが可能であり、用紙に画像を印刷する印刷部を含み、前記撮影画像を処理する画像処理装置とを備える画像処理システムであって、
前記撮影装置および前記画像処理装置のうちの少なくともいずれか一方は、
情報を表示する表示画面と、
前記撮影画像の印刷の要求を受け付ける第一受け付け部と、
前記撮影画像を印刷する際の用紙のサイズの入力を受け付ける第二受け付け部と、
前記第一受け付け部により印刷の要求を受け付けられた前記撮影画像の実寸を導出する導出部と、
前記導出部により導出された前記撮影画像の実寸のサイズが、前記第二受け付け部により受け付けられた前記用紙のサイズよりも大きいか否かを判断する判断部と、
前記判断部により前記撮影画像の実寸のサイズが前記用紙のサイズよりも大きいと判断されれば、前記表示画面に前記撮影画像、および前記表示画面内における前記用紙の大きさに相当する大きさであり、前記表示画面内において移動可能な枠部を表示するよう制御する第一制御部と、
前記第一制御部により表示するよう制御された前記枠部に囲われた領域を、前記撮影画像の印刷領域として特定する特定部とを備える、画像処理システム。
【発明の詳細な説明】
【技術分野】
【０００１】
この発明は、画像処理装置、および画像処理システムに関するものである。
【背景技術】
【０００２】
複合機に代表される画像処理装置においては、画像データを基に、感光体に対して光を照射し、感光体上に静電潜像を形成する。その後、形成した静電潜像の上に帯電したトナーを供給して可視画像とした後、用紙に転写して定着させ、装置外に出力される。
【０００３】
ここで、画像処理装置において処理対象となる画像の変倍を行う場合がある。画像の変倍の処理に関する技術が、特開２０１５−４５９７９号公報（特許文献１）、および特開２００９−１３５５７８号公報（特許文献２）に開示されている。
【０００４】
特許文献１には、画像上に基準部を指定し、指定された基準部の実測値を入力し、指定された基準部のサイズ及び入力された実測値に基づいて、画像の変倍率を決定することを特徴とする画像処理装置が開示されている。
【０００５】
また、特許文献２に開示の画像処理方法は、基準長を表す基準物を被写体と共に撮影し、撮影した画像を表す画像データを基に、当該画像に含まれる前記基準物を抽出し、抽出した基準物が表す基準長が、当該基準長と対応付けられた実寸長と一致するように前記画像の拡大または縮小処理を行うことを特徴としている。
【先行技術文献】
【特許文献】
【０００６】
【特許文献１】特開２０１５−４５９７９号公報
【特許文献２】特開２００９−１３５５７８号公報
【発明の概要】
【発明が解決しようとする課題】
【０００７】
ユーザーが、撮影カメラ等によって撮影した撮影画像に対して、実寸、すなわち、撮影した被写体の実際の寸法通りのサイズで印刷を要望する場合がある。この時、さらにユーザーは、用紙のサイズについても要望する場合がある。ここで、ユーザーによって指定された用紙のサイズよりも撮影画像が大きい場合、撮影画像のうちの印刷される領域が不明となってしまう。そうすると、指定されたサイズの用紙で撮影画像がどのように印刷されるのか分からなり、ユーザーの要望する印刷ができないこととなる。上記した特許文献１〜２に開示の技術では、このような場合に対応することができない。
【０００８】
この発明の目的は、ユーザーの要望する用紙のサイズで、適切に撮影画像の実寸印刷を行うことができる画像処理装置を提供することである。
【０００９】
この発明の他の目的は、ユーザーの要望する用紙のサイズで、適切に撮影画像の実寸印刷を行うことができる画像処理システムを提供することである。
【課題を解決するための手段】
【００１０】
この発明の一の局面においては、画像処理装置は、撮影画像を処理する。画像処理装置は、表示画面と、第一受け付け部と、第二受け付け部と、導出部と、判断部と、第一制御部と、特定部とを備える。表示画面は、情報を表示する。第一受け付け部は、撮影画像の印刷の要求を受け付ける。第二受け付け部は、撮影画像を印刷する際の用紙のサイズの入力を受け付ける。導出部は、第一受け付け部により印刷の要求を受け付けられた撮影画像の実寸を導出する。判断部は、導出部により導出された撮影画像の実寸のサイズが、第二受け付け部により受け付けられた用紙のサイズよりも大きいか否かを判断する。第一制御部は、判断部により撮影画像の実寸のサイズが用紙のサイズよりも大きいと判断されれば、表示画面に撮影画像、および表示画面内における用紙の大きさに相当する大きさであり、表示画面内において移動可能な枠部を表示するよう制御する。特定部は、第一制御部により表示するよう制御された枠部に囲われた領域を、撮影画像の印刷領域として特定する。
【００１１】
この発明の他の局面においては、画像処理システムは、被写体の画像を撮影する撮影部を備える撮影装置と、撮影装置からの撮影画像の取り込みが可能であり、用紙に画像を印刷する印刷部を含み、撮影画像を処理する画像処理装置とを備える。撮影装置および画像処理装置のうちの少なくともいずれか一方は、表示画面と、第一受け付け部と、第二受け付け部と、導出部と、判断部と、第一制御部と、特定部とを備える。表示画面は、情報を表示する。第一受け付け部は、撮影画像の印刷の要求を受け付ける。第二受け付け部は、撮影画像を印刷する際の用紙のサイズの入力を受け付ける。導出部は、第一受け付け部により印刷の要求を受け付けられた撮影画像の実寸を導出する。判断部は、導出部により導出された撮影画像の実寸のサイズが、第二受け付け部により受け付けられた用紙のサイズよりも大きいか否かを判断する。第一制御部は、判断部により撮影画像の実寸のサイズが用紙のサイズよりも大きいと判断されれば、表示画面に撮影画像、および表示画面内における用紙の大きさに相当する大きさであり、表示画面内において移動可能な枠部を表示するよう制御する。特定部は、第一制御部により表示するよう制御された枠部に囲われた領域を、撮影画像の印刷領域として特定する。
【発明の効果】
【００１２】
このような構成の画像処理装置によれば、撮影画像を実寸で印刷しようとした場合、表示画面に撮影画像、および用紙のサイズに相当するサイズの枠部が表示されているため、ユーザーは、枠部の位置を確認しながら撮影画像の実寸印刷をすることができる。したがって、ユーザーの要望する用紙のサイズで、適切にユーザーの要望する撮影画像の実寸印刷を行うことができる。
【００１３】
また、このような構成の画像処理システムによれば、ユーザーの要望する用紙のサイズで、適切にユーザーの要望する撮影画像の実寸印刷を行うことができる。
【図面の簡単な説明】
【００１４】
【図１】この発明の一実施形態に係る画像処理装置を複合機に適用した場合の複合機の構成を示すブロック図である。
【図２】撮影カメラの外観を示す図である。
【図３】複合機制御部の構成を示すブロック図である。
【図４】複合機を用いて撮影カメラにより撮影された撮影画像を用紙に印刷する場合の処理の流れを示すフローチャートである。
【図５】問い合わせ画面が表示されたタッチパネルの一例を示す図である。
【図６】撮影画像および枠部が表示されたタッチパネルの一例を示す図である。
【図７】移動可能な枠部が表示されたタッチパネルの一例を示す図である。
【図８】Ａ３サイズの枠部が表示されたタッチパネルの一例を示す図である。
【図９】枠部が二つ表示された場合のタッチパネルの一例を示す図である。
【図１０】回転可能な枠部を表示したタッチパネルの一例を示す図である。
【図１１】全体印刷が選択された場合のタッチパネルの一例を示す図である。
【図１２】枠部を移動させた場合のタッチパネルの一例を示す図である。
【図１３】枠部を縦向きに表示した場合のタッチパネルの一例を示す図である。
【図１４】複数表示された枠部のうち、任意の枠部の印刷が選択された場合のタッチパネルの一例を示す図である。
【図１５】この発明の他の実施形態に係る画像処理装置を撮影カメラに適用した場合のブロック図である。
【図１６】ズーム前後の表示画面の一例を示す図である。
【図１７】距離の異なる位置においてそれぞれ枠部を表示した表示画面の一例を示す図である。
【図１８】この発明に係る画像処理システムの構成を示すブロック図である。
【発明を実施するための形態】
【００１５】
以下、この発明の実施の形態を説明する。図１は、この発明の一実施形態に係る画像処理装置を複合機１１に適用した場合の複合機１１の構成を示すブロック図である。なお、図１においては、後述する撮影カメラ４１の構成についても図示している。
【００１６】
図１において、複合機１１は、複合機制御部１２と、操作部１３と、読み取り部１４と、印刷部１５と、給紙カセット１６と、画像や設定の情報を記憶する記憶部としての複合機ハードディスク１７と、ネットワーク（図示せず）と接続するためのネットワークインターフェース部１８と、複合機通信部２３とを備える。
【００１７】
複合機制御部１２は、複合機１１全体の制御を行う。複合機制御部１２は、ＣＰＵ等から構成されており、一時的にデータを記憶する記憶部としての主記憶メモリ１９を含む。操作部１３は、情報を表示する表示画面としてのタッチパネル２１を含む。読み取り部１４は、原稿の画像を読み取る。印刷部１５は、読み取り部１４によって読み取られた画像や複合機通信部２３、ネットワークを介して外部機器から送信され、取得した画像等を基に形成した画像を用紙に印刷する。
【００１８】
複合機通信部２３は、外部機器、この場合、例えば、撮影カメラ４１との通信を確立させて、データの送受信を行うことができる。複合機通信部２３により、撮影カメラ４１により撮影され、撮影カメラ４１側から送信された撮影画像を受信することができる。また、データや情報についても、複合機通信部２３を介して、複合機１１側から撮影カメラ４１側に送信することができる。ここで、通信については、無線による通信でもよいし、有線による通信でもよい。
【００１９】
次に、撮影カメラ４１の構成について、簡単に説明する。図２は、撮影カメラ４１の外観を概略的に示す図である。図１〜図２を参照して、撮影カメラ４１は、撮影カメラ制御部４２と、撮影カメラ通信部４３と、撮影部４４と、表示画面４５と、シャッターボタン４６と、撮影カメラハードディスク４７と、レンズ（図示せず）と、設定ボタン４８とを備える。撮影カメラ４１としては、例えば、いわゆるデジタルカメラやスマートフォン、他にカメラ機能付きの携帯端末等が挙げられる。
【００２０】
撮影カメラ制御部４２は、撮影カメラ４１全体の制御を行う。撮影カメラ通信部４３は、外部機器、この場合、例えば、複合機１１との通信を確立させて、データの送受信を行うことができる。撮影部４４は、被写体の画像を撮影する。表示画面４５は、撮影カメラ４１の機能や設定をユーザーの要求に応じて表示すると共に、撮影部４４により撮影する前の被写体の画像を表示する。すなわち、表示画面４５は、ファインダーとして、被写体の画像を映し出す。シャッターボタン４６は、押下により、レンズを介して表示画面４５に表示された被写体の画像を撮影する。なお、シャッターボタン４６、レンズ等は、撮影部４４に含まれる構成である。撮影された画像や、種々の設定のデータ等は、撮影カメラハードディスク４７に記憶される。設定ボタン４９は、円板状であって、撮影カメラ４１に取り付けられており、上下左右に位置する部分を押下させたり、図２中の矢印Ｄ１の方向またはその逆の方向に回転させることができる。設定ボタン４８により、表示画面４５に表示された画像の拡大、すなわち、ズームや縮小、機能の選択メニューの表示および入力等の設定を行うことができる。
【００２１】
次に、複合機１１に備えられる複合機制御部１２の構成について説明する。図３は、複合機制御部１２の構成を示すブロック図である。図３を参照して、複合機制御部１２は、第一受け付け部３１と、第二受け付け部３２と、導出部３３と、判断部３４と、第一制御部３５と、特定部３６と、第二制御部３７とを備える。第一受け付け部３１は、撮影画像の印刷の要求を受け付ける。この場合の撮影画像とは、例えば、撮影カメラ４１によって撮影され、複合機１１側に送信された画像である。第二受け付け部３２は、撮影画像を印刷する際の用紙のサイズの入力を受け付ける。導出部３３は、第一受け付け部３１により印刷の要求を受け付けられた撮影画像の実寸を導出する。実寸とは、撮影した被写体の実際の寸法通りのサイズである。判断部３４は、導出部３３により導出された撮影画像の実寸のサイズが、第二受け付け部３２により受け付けられた用紙のサイズよりも大きいか否かを判断する。第一制御部３５は、判断部３４により撮影画像の実寸のサイズが用紙のサイズよりも大きいと判断されれば、タッチパネル２１に撮影画像、およびタッチパネル２１内における用紙の大きさに相当する大きさであり、タッチパネル２１内において移動可能な後述する枠部を表示するよう制御する。特定部３６は、第一制御部３５により表示するよう制御された枠部に囲われた領域を、撮影画像の印刷領域として特定する。第二制御部３７は、印刷部１５の動作を制御する。具体的には、第二制御部３７は、特定部３６により特定された印刷領域で、第二受け付け部３２により受け付けられたサイズの用紙を用いて印刷部１５により印刷するよう制御する。これらの構成については、後に詳述する。
【００２２】
次に、上記した複合機１１を用いて撮影カメラ４１により撮影された撮影画像を用紙に印刷する場合について説明する。図４は、複合機１１を用いて撮影カメラ４１により撮影された撮影画像を用紙に印刷する場合の処理の流れを示すフローチャートである。
【００２３】
まず、図４を参照して、複合機１１は、撮影カメラ４１によって撮影され、撮影カメラ通信部４３、および複合機通信部２３を介して送信される撮影画像を取り込む（図４において、ステップＳ１１、以下、「ステップ」を省略する）。すなわち、複合機１１は、撮影画像を取得する。取り込まれた撮影画像については、主記憶メモリ１９に一時的に記憶される。
【００２４】
次に、第一受け付け部３１は、撮影画像の印刷の要求を受け付ける（Ｓ１２）。その後、第二受け付け部３２は、ユーザーからの印刷する用紙のサイズの入力を受け付ける（Ｓ１３）。この場合、具体的には、操作部１３を介して、印刷の要求、および用紙のサイズの入力を受け付ける。ここでは、用紙のサイズとして、Ａ４サイズが入力されたとする。
【００２５】
用紙のサイズの入力を受け付けると、導出部３３は、第一受け付け部３１により印刷の要求を受け付けられた撮影画像の実寸を導出する（Ｓ１４）。この場合、例えば、導出部３３は、撮影画像内の所定の長さに対応する実寸の入力を受け付ける第三受け付け部を含み、第三受け付け部により入力を受け付けられた実寸から撮影画像の実寸を導出する。
【００２６】
次に、判断部３４は、撮影画像が用紙サイズに収まっているかを判断する（Ｓ１５）。すなわち、判断部３４は、導出部３３により導出された撮影画像の実寸のサイズが、第二受け付け部３２により受け付けられた用紙のサイズよりも大きいか否かを判断する。判断部３４により、撮影画像が用紙サイズに収まっていると判断されれば（Ｓ１５において、ＹＥＳ）、すなわち、導出部３３により導出された撮影画像の実寸のサイズが、第二受け付け部３２により受け付けられた用紙のサイズよりも大きくないと判断されれば、そのままユーザーからの指示に応じて印刷を行って（Ｓ２０）、処理を終了する。
【００２７】
一方、判断部３４により撮影画像の実寸のサイズが用紙のサイズよりも大きいと判断されれば（Ｓ１５において、ＮＯ）、第一制御部３５は、印刷範囲を選択するか否かを問い合わせる（Ｓ１６）。この場合、例えば、図５に示すように、タッチパネル２１に問い合わせ画面を表示させて、印刷範囲の設定画面へ移行させるか、全体印刷の設定画面へ移行させるかを問い合わせる。図５は、問い合わせ画面が表示されたタッチパネル２１の一例を示す図である。図５中において、タッチパネル２１には、「撮影画像の実寸のサイズが用紙のサイズよりも大きいです。」とのメッセージ２６と、「印刷範囲の設定画面へ」と示されており、押下により印刷範囲の設定画面へ移行させる第一選択キー２７ａと、「全体印刷の設定画面へ」と示されており、押下により全体印刷の設定画面へ移行させる第二選択キー２７ｂとが表示されている。ユーザーは、要望に応じて、いずれかの選択キー２７ａ、２７ｂを押下する。
【００２８】
選択キー２７ａの押下を検知し、印刷範囲の設定画面へ移行させる場合（Ｓ１６において、ＹＥＳ、Ｓ１７）、第一制御部３５は、タッチパネル２１に撮影画像、およびタッチパネル２１内における用紙のサイズに相当するサイズであり、タッチパネル２１内において移動可能な枠部を表示するよう制御する（Ｓ１８）。
【００２９】
図６は、撮影画像および枠部が表示されたタッチパネル２１の一例を示す図である。図６を参照して、タッチパネル２１には二輪の花の画像５２、および二輪の花の画像５２の周りの花の葉や茎、他の草が含まれる背景の画像５３から構成される撮影画像５１と、枠部５４とが表示されている。なお、撮影画像５１については、中央側にレイアウトされる花の画像５２に焦点が合うようピントを調整されて撮影されている。タッチパネル２１に表示された撮影画像５１は、いわゆる印刷前のプレビュー表示で表示された状態である。
【００３０】
枠部５４は、タッチパネル２１内における用紙のサイズに相当するサイズである。枠部５４のサイズについては、導出部３３により導出された撮影画像の実寸、および第二受け付け部３２により入力を受け付けられた用紙のサイズを基に決定される。
【００３１】
枠部５４は、矩形状の破線で描かれている。枠部５４は、タッチパネル２１内において移動可能に構成されている。図７は、移動可能な枠部５４が表示されたタッチパネル２１の一例を示す図である。具体的には、図７に示すように、タッチパネル２１の左下の領域に表示された枠部５４は、例えば、ユーザーの指によるドラッグ操作により、タッチパネル２１内において、上向きを示す矢印Ｄ１、斜め上向きを示す矢印Ｄ２、右向きを示す矢印Ｄ３等に沿って、その形状を維持したまま移動可能である。
【００３２】
第一制御部３５は、枠部５４内の中央のやや上側寄りに「Ａ４」との文字５５を表示する。この文字５５は、第二受け付け部３２により受け付けられた「Ａ４」の用紙のサイズを示している。
【００３３】
ユーザーは、枠部５４を移動させて、印刷範囲を決定する。枠部５４は、撮影画像５１上のどこでも移動可能に構成されている。そうすると、特定部３６は、第一制御部３５により表示するよう制御された枠部５４に囲われた領域を、撮影画像５１の印刷領域として特定する。具体的には、ユーザーによって移動された枠部５４の位置が確定され、印刷領域が特定される（Ｓ１９において、ＹＥＳ）。この枠部５４の位置の決定については、例えば、操作部１３内の図示しない確定キー等により行われる。枠部５４内の領域のダブルタップ操作によって枠部５４の位置を確定させることにしてもよい。
【００３４】
その後、ユーザーの指示に応じて、すなわち、ユーザーによって指示された出力のタイミングで、特定された印刷領域で印刷を行う（Ｓ２０）。すなわち、第二制御部３７は、特定部３６により特定された印刷領域で、第二受け付け部３２により受け付けられたサイズの用紙を用いて印刷部１５により印刷するよう制御する。この場合、たとえば、給紙カセット１６のいずれかの段に収容されたＡ４サイズの用紙を用いて、図６に示すような二輪の花の画像５２が中央にレイアウトされた撮影画像５１が実寸印刷される。なお、枠部５４の外側の領域に位置する撮影画像５１については、用紙に印刷されないこととなる。
【００３５】
この場合、特定部３６は、タッチパネル２１へのドラッグ操作により、移動された枠部５４の位置を決定させて、撮影画像５１の印刷領域を特定させるため、より容易な操作で、ユーザーの要求する実寸印刷を行うことができる。
【００３６】
なお、上記の実施の形態においては、Ａ４サイズの用紙のサイズに相当するサイズで枠部５４を表示することとしたが、第二受け付け部３２により入力された用紙のサイズがＡ３サイズであれば、図８に示すように表示される。図８は、Ａ３サイズの枠部５６が表示されたタッチパネル２１の一例を示す図である。すなわち、図８においては、枠部５６は、Ａ４サイズの枠部５４よりも大きく表示されており、Ａ３サイズに相当するサイズに反映されている。もちろん、撮影画像５１の実寸に応じて表示されている。なお、用紙のサイズを示す文字５７については、「Ａ３」と表示されている。
【００３７】
また、枠部については、複数表示することにしてもよい。図９は、枠部６１ａ、６１ｂが二つ表示された場合のタッチパネル２１の一例を示す図である。図９を参照して、第一制御部３５は、二つの枠部６１ａ、６１ｂを表示するよう制御し、特定部３６は、二つの枠部６１ａ、６１ｂにそれぞれ囲われた領域をそれぞれ印刷領域として特定する。すなわち、この場合、撮影画像５１のうち、枠部６１ａに囲われた領域を印刷したＡ４サイズの用紙と、枠部６１ｂに囲われた領域を印刷したＡ４サイズの用紙の二枚が出力されることになる。複数の枠部６１ａ、６１ｂの表示については、操作部１３への複数の枠部６１ａ、６１ｂの表示の要求を受け付けることにより行われる。もちろん三つ以上、枠部６１ａ、６１ｂを表示させるようにしてもよい。用紙のサイズを表す文字６２ａ、６２ｂについては、それぞれの枠部６１ａ、６１ｂに設けられている。また、印刷のページ数、および順序を示す文字６３ａ、６３ｂもそれぞれの枠部６１ａ、６１ｂに対応して表示されている。こうすることにより、よりユーザーの要求する実寸印刷を行うことができる。
【００３８】
なお、枠部については、所定の角度で回転可能な構成としてもよい。図１０は、回転可能な枠部６４を表示したタッチパネル２１の一例を示す図である。図１０を参照して、枠部６４は、撮影画像５１に対して、所定の角度回転可能に構成されている。この場合、枠部６４の回転については、例えば、枠部６４のうちの四隅の近傍の領域を指で回転させるようにタップさせて、枠部６４を任意の角度に回転させるようにしてもよい。
【００３９】
ここで、用紙のサイズを示す「Ａ４」の文字６５については、図１０に示すように撮影画像５１の水平方向に沿った向きをそのまま維持して表示してもよいし、枠部６４の回転に応じて回転させて表示することにしてもよい。
【００４０】
次に、図５において、選択キー２７ｂが押下された場合について説明する。選択キー２７ｂの押下を検知し、Ｓ１６において、全体印刷の設定画面へ移行させる場合（Ｓ１６において、ＮＯ、Ｓ２１）、第一制御部３５は、タッチパネル２１に撮影画像、およびタッチパネル２１内における用紙のサイズに相当するサイズであり、タッチパネル２１内において移動可能な枠部を表示するよう制御する（Ｓ２２）。この場合、第一制御部３５は、撮影画像の全体を覆うようにして複数の枠部をそれぞれ隣接して表示する。
【００４１】
図１１は、全体印刷が選択された場合のタッチパネル２１の一例を示す図である。図１１を参照して、タッチパネル２１には、中央の位置の猫の画像７２、および猫の画像７２の周りのブロック塀や壁が含まれる背景の画像７３から構成される撮影画像７１と、複数の枠部７４ａ、７４ｂ、７４ｃ、７４ｄ、７４ｅ、７４ｆ、７４ｇ、７４ｈ、７４ｉ、７４ｊ、７４ｋ、７４ｍ、７４ｎ、７４ｐ、７４ｑ、７４ｒとが表示されている。枠部７４ａ〜７４ｒについては、合計１６個表示されている。また、タッチパネル２１の撮影画像７１の周囲には、余白の領域７５が設けられている。この余白の領域７５には、図１１に示す場合において、撮影画像７１のうち、印刷範囲に収まりきらない枠部７４ｄ、７４ｈ、７４ｍ、７４ｒの全域と、枠部７４ｎ、７４ｐ、７４ｑの下側の一部と、印刷の順序を示す矢印７６と、「１２枚」といった印刷枚数を示す文字７７ａとが表示されている。隣接して表示された枠部７４ａ〜７４ｒは、隣り合った枠部７４ａ〜７４ｒの状態を維持したまま、全体で移動可能な構成である。矢印７６は、始点が枠部７４ａの位置にあり、そのまま右側に枠部７４ｄまで延びている。また、矢印７６は、枠部７４ｅ〜７４ｈ、枠部７４ｉ〜７４ｍ、枠部７４ｎ〜７４ｒの順にそれぞれ延びている。
【００４２】
ユーザーによって移動された枠部７４ａ〜７４ｒの位置が決定され、特定部３６は、印刷領域を特定する（Ｓ１９において、ＹＥＳ）。具体的には、例えば、猫の画像７２のうち、片足の部分を含めた猫の全体画像のほとんどをいずれかの用紙１枚の範囲に収めたい場合、図１２のように枠部７４ａ〜７４ｒ全体を移動させる。この場合、一つの枠部７４ｋに猫の画像７２のほとんどが収まることとなる。すなわち、枠部７４ｋに対応するＡ４サイズの用紙に、実寸の猫の画像７２が印刷されることとなる。図１２は、枠部７４ａ〜７４ｒを移動させた場合のタッチパネル２１の一例を示す図である。
【００４３】
その後、特定された印刷領域で印刷を行う（Ｓ２０）。この場合、矢印７６の順序で複数枚の用紙に印刷されることとなる。すなわち、図１０に示す場合、枠部７４ａ、７４ｂ、７４ｃ、７４ｅ、７４ｆ、７４ｇ、７４ｉ、７４ｊ、７４ｋ、７４ｎ、７４ｐ、７４ｑにそれぞれ対応する画像が印刷され、合計１２枚出力されることとなる。
【００４４】
以上より、このような構成の複合機１１によれば、撮影画像を実寸で印刷しようとした場合、タッチパネル２１に撮影画像、および用紙のサイズに相当するサイズの枠部が表示されているため、ユーザーは、枠部を確認しながら撮影画像の実寸印刷をすることができる。したがって、ユーザーの要望する用紙のサイズで、適切にユーザーの要望する撮影画像の実寸印刷を行うことができる。
【００４５】
なお、上記の実施の形態においては、Ａ４サイズの用紙において、いわゆる横向きに枠部７４ａ〜７４ｒを表示することとしたが、これに限らず、第一制御部３５は、例えば、図１３に示すように、いわゆる縦向きに枠部７８ａ、７８ｂ、７８ｃ、７８ｄ、７８ｅ、７８ｆ、７８ｇ、７８ｈ、７８ｉ、７８ｊ、７８ｋ、７８ｍ、７８ｎ、７８ｐ、７８ｑを表示することとしてもよい。図１３は、枠部７８ａ〜７８ｑを縦向きに表示した場合のタッチパネル２１の一例を示す図である。この設定については、例えば、操作部１３による枠部７８ａ〜７８ｑの向きの要求を受け付けることにより行う。なお、この場合の印刷枚数については、文字７７ｂによって、「１５枚」と表示されることとなる。
【００４６】
また、複数表示された枠部において、ユーザーの要望する枠部に対応する印刷のみを行う構成としてもよい。すなわち、図１４に示すように、表示される１２個の枠部７９ａ、７９ｂ、７９ｃ、７９ｄ、７９ｅ、７９ｆ、７９ｇ、７９ｈ、７９ｉ、７９ｊ、７９ｋ、７９ｍのうち、ユーザーの選択する枠部７９ａ、７９ｈのみ印刷を実行することとしてもよい。こうすることによっても、より効率的にユーザーの要望する印刷を行うことができる。ユーザーの選択については、操作部１３への入力により受け付けられる。図１４は、複数表示された枠部７９ａ〜７９ｍのうち、選択された枠部７９ａ、７９ｈの印刷が選択された場合のタッチパネル２１の一例を示す図である。他の印刷されない枠部７９ｂ〜７９ｇ、枠部７９ｉ〜７９ｍについては、破線のハッチングで図示している。枠部７９ａ〜７９ｍについては、それぞれの中央に、ページ数、すなわち、印刷された場合に何枚目に位置するかの数値が表示されている。なお、この場合の印刷枚数については、文字７７ｃによって、「２枚」と表示されている。そして、選択されたページ数について、文字７７ｄによって、「１、８」と表示されている。
【００４７】
なお、導出部３３における実寸の導出については、撮影画像中の基準物に実寸を入力することにより行ってもよい。すなわち、導出部３３は、入力された基準物の実寸を用いて撮影画像の実寸を導出するようにしてもよい。
【００４８】
なお、上記の実施の形態においては、撮影カメラ４１により撮影された撮影画像が、複合機１１に取り込まれた場合について説明したが、これに限らず、撮影カメラ４１により被写体の画像を撮影する際、撮影する前に表示画面４５に表示される撮影画像に対して、枠部の表示等を行うこととしてもよい。すなわち、複合機制御部１２に、第一受け付け部３１等が備えられる構成としたが、これに限らず、撮影カメラ制御部に第一受け付け部等が備えられる構成としてもよい。この場合、この発明に係る画像処理装置は、撮影カメラとなる。
【００４９】
図１５は、この発明の他の実施形態に係る画像処理装置を撮影カメラ８１に適用した場合に撮影カメラに備えられる撮影カメラ制御部８２の構成を示すブロック図である。なお、撮影カメラ制御部８２以外の構成は、図１に示す撮影カメラ４１と同等であるため、同一の符号を付して、それらの説明を省略する。
【００５０】
図１５を参照して、撮影カメラ制御部８２は、第一受け付け部８３と、第二受け付け部８４と、導出部８５と、判断部８６と、第一制御部８７と、特定部８８とを備える。第一受け付け部８３は、撮影部４４により撮影される撮影画像の印刷の要求を受け付ける。第二受け付け部８４は、撮影画像を印刷する際の用紙のサイズの入力を受け付ける。導出部８５は、第一受け付け部８３により印刷の要求を受け付けられた撮影画像の実寸を導出する。判断部８６は、導出部８５により導出された撮影画像の実寸のサイズが、第二受け付け部８４により受け付けられた用紙のサイズよりも大きいか否かを判断する。第一制御部８７は、判断部８６により撮影画像の実寸のサイズが用紙のサイズよりも大きいと判断されれば、表示画面４５に撮影画像、および表示画面４５内における用紙のサイズに相当するサイズであり、表示画面４５内において移動可能な枠部を表示するよう制御する。特定部８８は、第一制御部８７により表示するよう制御された枠部により、撮影画像の印刷領域を特定する。
【００５１】
この場合、撮影部４４により被写体を実際に撮影する前に、表示画面４５において、要望した用紙のサイズでどのような印刷ができるかを把握することができる。すなわち、この場合の撮影画像とは、既に撮影された画像ではなく、撮影部４４によって実際に撮影される前の画像であり、表示画面４５に表示された状態のものである。そして、要望した用紙のサイズでの撮影画像の実寸印刷のイメージを実際の撮影前にユーザーが確認することができる。
【００５２】
なお、特定された撮影画像の印刷領域のデータについては、撮影カメラ通信部４３および複合機通信部２３を介して複合機１１に送信される。そして、第二制御部により、複合機１１側において、受信した撮影画像の印刷領域のデータを基に印刷部１５を作動させ、印刷を行う。このように構成することにしてもよい。
【００５３】
ここで、第一制御部８７については、表示画面４５に表示された被写体の画像がズーム、すなわち、拡大された場合、枠部についても同じ割合で拡大するようにする。図１６は、ズーム前後の表示画面４５の一例を示す図である。図１６において、上側の図は、ズーム前を示し、下側の図は、ズーム後を示す。図１６を参照して、上側の図に示す撮影画像７１をズームした場合、ズーム前の枠部９２ａのサイズに対して、ズーム後の撮影画像９１中の枠部９２ｂのサイズが大きくなっている。ここで、画角および焦点距離から実寸を導出する場合には、この実寸を用いて変倍率を算出し、枠部９２ｂのサイズを変倍させて表示するようにする。このように構成することにより、よりユーザーの要望する撮影画像の実寸印刷を行うことができる。
【００５４】
なお、表示画面４５に表示された撮影する前の被写体の画像において、距離が枠部内において異なる場合、表示画面４５に表示される枠部については、矩形でなくともよい。例えば、焦点距離に応じて被写体の手前の方から被写体の奥側に向って、台形形状となるよう枠部を表示することにしてもよい。
【００５５】
また、距離の異なる位置に枠部を複数表示する場合、それらのサイズを変えて表示するようにしてもよい。図１７は、距離の異なる位置においてそれぞれ枠部を表示した表示画面４５の一例を示す図である。図１７を参照して、表示画面４５には、撮影画像７１と、二つの枠部９３ａ、９３ｂが表示されている。枠部９３ｂのサイズについては、被写体までの距離が遠い位置であり、実寸を考慮して、枠部９３ａのサイズよりも小さく表示されている。この場合、枠部９３ｂに一旦焦点を合わせて実寸を導出した後、導出された実寸を撮影カメラハードディスクや携帯カメラ制御部に含まれる主記憶メモリ等に記憶させておき、枠部９３ｂを表示する際に、そのデータを利用するようにする。
【００５６】
なお、上記の実施の形態において、この発明の一実施形態に係る画像処理装置を複合機１１に適用することとしたが、これに限らず、この発明に係る画像処理装置をスマートフォンや、デジタルカメラに適用するようにしてもよい。
【００５７】
なお、この発明に係る画像処理システムは、以下のように構成してもよい。図１８は、この発明に係る画像処理システム９４の構成を示すブロック図である。図１８を参照して、画像処理システム９４は、図１に示す画像処理装置としての複合機１１と、撮影装置としての撮影カメラ４１とを含む。すなわち、画像処理システム９４は、被写体の画像を撮影する撮影部４４を備える撮影装置としての撮影カメラ４１と、撮影カメラ４１からの撮影画像の取り込みが可能であり、用紙に画像を印刷する印刷部１５を含み、撮影画像を処理する画像処理装置としての複合機１１とを備える。複合機１１は、表示画面としてのタッチパネル２１と、第一受け付け部３１と、第二受け付け部３２と、導出部３３と、判断部３４と、第一制御部３５と、特定部３６とを備える。タッチパネル２１は、情報を表示する。第一受け付け部３１は、撮影画像の印刷の要求を受け付ける。第二受け付け部３２は、撮影画像を印刷する際の用紙のサイズの入力を受け付ける。導出部３３は、第一受け付け部３１により印刷の要求を受け付けられた撮影画像の実寸を導出する。判断部３４は、導出部３３により導出された撮影画像の実寸のサイズが、第二受け付け部３２により受け付けられた用紙のサイズよりも大きいか否かを判断する。第一制御部３５は、判断部３４により撮影画像の実寸のサイズが用紙のサイズよりも大きいと判断されれば、タッチパネル２１に撮影画像、およびタッチパネル２１内における用紙の大きさに相当する大きさであり、タッチパネル２１内において移動可能な枠部を表示するよう制御する。特定部３６は、第一制御部３５により表示するよう制御された枠部に囲われた領域を、撮影画像の印刷領域として特定する。このような構成としてもよい。
【００５８】
なお、撮影カメラ４１は、上記した図１５に示す構成を採用してもよい。この時、複合機１１は、第一受け付け部３１等を含まない構成としてもよい。すなわち、画像処理システム９４は、撮影装置および画像処理装置のうちの少なくともいずれか一方は、表示画面と、第一受け付け部と、第二受け付け部と、導出部と、判断部と、第一制御部と、特定部とを備える構成としてもよい。
【００５９】
なお、上記の実施の形態においては、第二制御部は、枠部と共に「Ａ４」という文字も表示するよう制御することとしたが、これに限らず、「Ａ４」という文字については、表示しないよう制御してもよい。こうすることにより、表示画面において「Ａ４」という文字が邪魔になって被写体の画像が見えにくくなるといった状況を回避することができる。この場合、ユーザーは、印刷する用紙のサイズとして「Ａ４サイズ」と入力していることを覚えているため、特に表示された枠部のサイズが分からないといった状況になるとは考えにくい。
【００６０】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００６１】
この発明に係る画像処理装置、および画像処理システムは、ユーザーの要望する用紙のサイズで、適切なユーザーの要望する撮影画像の実寸印刷が要求される場合に、特に有効に利用される。
【符号の説明】
【００６２】
１１  複合機、１２  複合機制御部、１３  操作部、１４  読み取り部、１５  印刷部、１６  給紙カセット、１７  複合機ハードディスク、１８  ネットワークインターフェース部、１９  主記憶メモリ、２１  タッチパネル、２３  複合機通信部、２６  メッセージ、２７ａ，２７ｂ  選択キー、３１，８３  第一受け付け部、３２，８４  第二受け付け部、３３，８５  導出部、３４，８６  判断部、３５，８７  第一制御部、３６，８８  特定部、３７  第二制御部、４１，８１  撮影カメラ、４２，８２  撮影カメラ制御部、４３  撮影カメラ通信部、４４  撮影部、４５  表示画面、４６  シャッターボタン、４７  撮影カメラハードディスク、４８  設定ボタン、５１，７１，９１  撮影画像、５２，５３，７２，７３  画像、５４，５６，６１ａ，６１ｂ，６４，７４ａ，７４ｂ，７４ｃ，７４ｄ，７４ｅ，７４ｆ，７４ｇ，７４ｈ，７４ｉ，７４ｊ，７４ｋ，７４ｍ，７４ｎ，７４ｐ，７４ｑ，７４ｒ，７８ａ，７８ｂ，７８ｃ，７８ｄ，７８ｅ，７８ｆ，７８ｇ，７８ｈ，７８ｉ，７８ｊ，７８ｋ，７８ｍ，７８ｎ，７８ｐ，７８ｑ，７９ａ，７９ｂ，７９ｃ，７９ｄ，７９ｅ，７９ｆ，７９ｇ，７９ｈ，７９ｉ，７９ｊ，７９ｋ，７９ｍ，９２ａ，９２ｂ，９３ａ，９３ｂ  枠部、５５，５７，６２ａ，６２ｂ，６３ａ，６３ｂ，６５，７７ａ，７７ｂ，７７ｃ，７７ｄ  文字、７５  領域、７６  矢印、９４  画像処理システム。
【図１】
2018069542.tif 000003
【図２】
2018069542.tif 000004
【図３】
2018069542.tif 000005
【図４】
2018069542.tif 000006
【図５】
2018069542.tif 000007
【図６】
2018069542.tif 000008
【図７】
2018069542.tif 000009
【図８】
2018069542.tif 000010
【図９】
2018069542.tif 000011
【図１０】
2018069542.tif 000012
【図１１】
2018069542.tif 000013
【図１２】
2018069542.tif 000014
【図１３】
2018069542.tif 000015
【図１４】
2018069542.tif 000016
【図１５】
2018069542.tif 000017
【図１６】
2018069542.tif 000018
【図１７】
2018069542.tif 000019
【図１８】
2018069542.tif 000020